(57)【要約】【課題】速やかな情報入力を可能とするタッチペンを提供すること。【解決手段】コンピューターのタッチパネルに接触させて装置に情報入力を行うためのタッチペン１０であって、指に装着が可能な治具１１と、その治具１１に取り付けられたペン先部１２とを備える。治具１１により指に装着した状態とし、その装着状態でペン先部１２をタッチパネルに接触させて情報入力を行うように使用するので、従来のように取ったり置いたりする反復動作が必要ないことから、速やかな情報入力が可能となり、工場の生産工程などにおける作業の進行を阻害するようなことがない。【選択図】図１
2009259062.tif 000002
【特許請求の範囲】
【請求項１】
コンピューターのタッチパネルに接触させて装置に情報入力を行うためのタッチペンであって、指に装着が可能な治具と、その治具に取り付けられたペン先部とを備えることを特徴とするタッチペン。
【請求項２】
治具が指サック型であることを特徴とする請求項１に記載のタッチペン。
【請求項３】
治具がリング型であることを特徴とする請求項１に記載のタッチペン。
【発明の詳細な説明】
【技術分野】
【０００１】
本発明は、コンピューターのタッチパネルに接触させて装置に情報入力を行うのに使用されるタッチペンに関する。
【背景技術】
【０００２】
従来より、コンピュータに情報入力する一つの手段として、タッチペンを用いたタッチパネル方式が広く利用されている。この方式で使用するタッチペンは、タッチパネルに接触させて条件設定や文字入力等を行うに際し、手で把持した状態で先端部分をタッチパネル表面に押し付けて操作するため、ペンシル型をした細長い軸部の先端にペン先部を設けたものになっている。
【０００３】
【特許文献１】特開平９−２８２０９９号公報
【特許文献２】実用新案登録第３１３０５６０号公報
【特許文献３】特開２００３−３１６５０７号公報
【発明の開示】
【発明が解決しようとする課題】
【０００４】
上記したように、従来のタッチペンは、手で持って操作するためにいずれも細長いペンシル型になっている。したがって、工場などの生産システムで使用する場合にあっては、コンピュータに情報入力をする度にタッチペンを手に取り、入力が終わると置くという動作を繰り返すが、このことが作業の進行が阻害される大きな要因の一つになっている。また、使用しないときは所定の場所に戻せばよさそうなものではあるが、何かの拍子に何処かに置いてしまい、そのため、見失ってしまうことも多々あり、探す時間が掛かって入力作業が止まってしまうようなこともあった。
【０００５】
このように、工場の生産工程のような忙しいところでは、タッチペンを一々手で持つのが面倒なため、指先で直接パネルをタッチすることもあるが、指では感度が悪いために何度もパネルにタッチしなければならないために逆に時間が掛かったり、また、パネルの表示が細かいために他の表示が反応してしまい、意図したメニューをタッチすることができずに誤動作を引き起こしたりする場合がある。
【０００６】
本発明は、このような事情に鑑みてなされたものであり、その目的とするところは、速やかな情報入力を可能とするタッチペンを提供することにある。
【課題を解決するための手段】
【０００７】
上記の目的を達成するため、本発明のタッチペンは、コンピューターのタッチパネルに接触させて装置に情報入力を行うためのタッチペンであって、指に装着が可能な治具と、その治具に取り付けられたペン先部とを備えることを特徴としている。
【０００８】
そして、上記構成のタッチペンは、治具が指サック型であってもよいし、或いはリング型であってもよい。
【発明の効果】
【０００９】
本発明のタッチペンは、治具により指に装着した状態とし、その装着状態でペン先部をタッチパネルに接触させて情報入力を行うように使用するので、従来のように取ったり置いたりする反復動作が必要ないことから、速やかな情報入力が可能となり、工場の生産工程などにおける作業の進行を阻害するようなことがない。また、常時指に装着することにより、何処かに置いて見失うということがなく、作業中に探さなければならないという事態を無くすことができる。さらには、従来のペンシル型に比べるとプラスチック部分が少ないため、製造コストを低く抑えることができる。
【発明を実施するための最良の形態】
【００１０】
以下、本発明の実施形態を図面を参照しながら詳細に説明する。
【００１１】
図１は本発明に係るタッチペンの一例を装着状態で示す斜視図である。
【００１２】
図１に示すタッチペン１０は、指サック型の治具１１と、その治具１１の先端に取り付けられたペン先部１２とからなる。指サック型の治具１１は、軟質の合成樹脂、ゴム等の柔軟な素材からなり、一方が塞がった円筒形状のもので、被せて装着したときに指になじむように、また装着した時には指から抜けにくい大きさになっている。
【００１３】
このタッチペン１０は、通常の指サックのようにして例えば人指し指に被せた状態で使用する。そして、作業中は常時装着したままでよく、コンピュータに情報入力する必要がある事態になったときは、指先にあるペン先部１２を速やかにタッチパネルの表面に接触させて所望の情報入力を行うことができる。
【００１４】
図２は本発明に係るタッチペンの別の例を装着状態で示す斜視図である。
【００１５】
図２に示すタッチペン２０は、リング型の治具２１と、その治具２１に取り付けられたペン先部２２とからなる。リング型の治具２１は、硬質の合成樹脂や金属等からなり、嵌めて装着するときに指が入りやすく、また装着したときには指から抜けにくいサイズになっている。
【００１６】
このタッチペン２０は、通常の指輪のようにして例えば人指し指に嵌めた状態で使用する。そして、作業中は常時装着したままでよく、コンピュータに情報入力する必要がある事態になったときは、指先を曲げてペン先部２２を突き出した状態とし、その突き出したペン先部２２を速やかにタッチパネルの表面に接触させて所望の情報入力を行うことができる。
【００１７】
図３は本発明に係るタッチペンのさらに別の例を装着状態で示す斜視図である。
【００１８】
図３に示すタッチペン３０は、リング型の治具３１と、その治具３１に延長部３１ａを介して取り付けられたペン先部３２とからなる。リング型の治具３１は、硬質の合成樹脂や金属等からなり、嵌めて装着するときに指が入りやすく、また装着した時には指から抜けにくいサイズになっている。また、治具３１の延長部３１ａは、ペン先部３２が指の先端から突き出る位置となる長さの硬質部材からなり、治具３１に対して一体的に取り付けられている。
【００１９】
このタッチペン３０も、図２のタッチペン２０と同様、通常の指輪のようにして例えば人指し指に嵌めた状態で使用する。そして、作業中は常時装着したままでよく、コンピュータに情報入力する必要がある事態になったときは、指の先端から突き出たペン先部３２を速やかにタッチパネルの表面に接触させて所望の情報入力を行うことができる。
【００２０】
以上、本発明の実施の形態について詳細に説明してきたが、本発明によるタッチペンは、上記実施の形態に何ら限定されるものではなく、本発明の趣旨を逸脱しない範囲において種々の変更が可能であることは当然のことである。
【図面の簡単な説明】
【００２１】
【図１】本発明に係るタッチペンの一例を装着状態で示す斜視図である。
【図２】本発明に係るタッチペンの別の例を装着状態で示す斜視図である。
【図３】本発明に係るタッチペンのさらに別の例を装着状態で示す斜視図である。
【符号の説明】
【００２２】
１０  タッチペン
１１  治具
１２  ペン先部
２０  タッチペン
２１  治具
２２  ペン先部
３０  タッチペン
３１  治具
３１ａ  延長部
３２  ペン先部
【図１】
2009259062.tif 000003
【図２】
2009259062.tif 000004
【図３】
2009259062.tif 000005